(57)【特許請求の範囲】
【請求項１】
モバイル基地局（１８）とのワイヤレス通信のためのユーザ装置であって、
前記ユーザ装置の現在の位置（Ｐ４）を取得し、
前記現在の位置（Ｐ４）を含む領域（Ａ）内のワイヤレスデータ転送速度を示す品質指標のセットを受信し、
前記ユーザ装置のグラフィカルインターフェース（２１８）において、
前記領域（Ａ）内に含まれた新しい位置（Ｐ５）、または
前記領域（Ａ）内に含まれた前記新しい位置（Ｐ５）に対する方向（Ｄ５）であって、当該新しい位置（Ｐ５）が、前記現在の位置（Ｐ４）と比較して、ワイヤレスデータ転送速度を示す、相対的により高い品質指標と関連付けられている、前記方向（Ｄ５）を提示するように構成されており、
前記品質指標のセットが平均オピニオン評点であり、前記品質指標のセットが、
前記品質指標のセットがアプリケーションに依存するように、前記ユーザ装置内に常駐し、かつ、サービスを実行するアプリケーションと、および、
前記品質指標のセットがサービスに依存するように、前記ユーザ装置に提供されるサービスと、関連付けられる、ユーザ装置。
【請求項２】
前記品質指標のセットが時間に依存するように、前記品質指標のセットが、ある時間と関連付けられる、請求項１に記載のユーザ装置。
【請求項３】
前記品質指標のセットが基地局に依存するように、前記品質指標のセットが、前記ユーザ装置が現在通信しているモバイル基地局と関連付けられる、請求項１または２に記載のユーザ装置。
【請求項４】
前記品質指標のセットがネットワークに依存するように、前記品質指標のセットが、前記ユーザ装置にサービスを送達する通信ネットワーク内のパフォーマンス基準と関連付けられる、請求項１ないし３のいずれか一項に記載のユーザ装置。
【請求項５】
前記領域（Ａ）が下位領域（Ｂ、Ｃ１、Ｃ２、Ｃ３、Ｃ４、Ｄ）のセットを含む、請求項１ないし４のいずれか一項に記載のユーザ装置。
【請求項６】
それぞれの下位領域が、前記品質指標のセットのそれぞれの品質指標と関連付けられる、請求項５に記載のユーザ装置。
【請求項７】
それぞれの下位領域が１ｍ２〜２５０ｍ２のそれぞれのサイズを有する、請求項５または６に記載のユーザ装置。
【請求項８】
前記ユーザ装置が前記ワイヤレスデータ転送速度を示す、相対的により低い品質指標に関連する位置に近づく場合に、警告メッセージを提供するように構成された、請求項１ないし７のいずれか一項に記載のユーザ装置。
【請求項９】
ワイヤレス通信ネットワーク（１４）のためのネットワークノードであって、前記ワイヤレス通信ネットワーク内に設置されるとき、
前記ワイヤレス通信ネットワーク（１４）のモバイル基地局（１８）と通信している任意の数のワイヤレスユーザ装置（２０、２２、２４）に関して、前記ワイヤレスユーザ装置（２０、２２、２４）のそれぞれの現在の位置（Ｐ１、Ｐ２、Ｐ３）におけるワイヤレスデータ転送速度と、共通領域（Ａ）内のワイヤレスデータ転送速度とを示す品質指標のセットを取得するとともに、
前記共通領域（Ａ）内のあるユーザ装置（２６）に、
前記取得された品質指標のセットから導出され、かつ
前記あるユーザ装置（２６）の前記現在の位置（Ｐ４）におけるワイヤレスデータ転送速度を示すある種の品質指標のセットを提供するように構成され、
前記取得された品質指標のセットが平均オピニオン評点であり、前記取得された品質指標のセットが、
前記ある種の品質指標のセットがアプリケーションに依存するように、サービスを実行し、かつ、前記品質指標のセットが取得された前記ワイヤレスユーザ装置（２０、２２、２４）内に常駐するアプリケーションと、および、
前記ある種の品質指標のセットがサービスに依存するように、前記品質指標のセットが取得された前記ワイヤレスユーザ装置（２０、２２、２４）に提供されたサービスと、関連付けられた、ネットワークノード。
【請求項１０】
前記ある種の品質指標のセットが、取得された前記任意の数のワイヤレスユーザ装置の前の位置と関連付けられ、
前記前の位置が前記あるユーザ装置の前記現在の位置に対応する、
請求項９に記載のネットワークノード。
【請求項１１】
ネットワークパフォーマンスを計測し、前記計測されたネットワークパフォーマンスを前記品質指標のセット内に含めるように構成された、請求項９または１０に記載のネットワークノード。
【請求項１２】
前記品質指標のセットが時間に依存するように、前記取得された品質指標のセットが、ある時間と関連付けられる、請求項９ないし１１のいずれか一項に記載のネットワークノード。
【請求項１３】
前記品質指標のセットが基地局に依存するように、前記取得された品質指標のセットが、前記モバイル基地局と関連付けられる、請求項９ないし１２のいずれか一項に記載のネットワークノード。
【請求項１４】
前記品質指標のセットがネットワークに依存するように、前記取得された品質指標のセットが、取得された前記ワイヤレスユーザ装置（２０、２２、２４）にサービスを送達する通信ネットワーク内のパフォーマンス基準と関連付けられる、請求項９ないし１３のいずれか一項に記載のネットワークノード。
【請求項１５】
前記共通領域（Ａ）が下位領域（Ｂ、Ｃ１、Ｃ２、Ｃ３、Ｃ４、Ｄ）のセットを含む、請求項９ないし１４のいずれか一項に記載のネットワークノード。
【請求項１６】
それぞれの下位領域が、前記品質指標のセットのそれぞれの品質指標と関連付けられる、請求項１５に記載のネットワークノード。
【請求項１７】
それぞれの下位領域が１ｍ２〜２５０ｍ２のそれぞれのサイズを有する、請求項１５または１６に記載のネットワークノード。
【請求項１８】
請求項１ないし７のいずれか一項に記載のユーザ装置に品質指標のセットを提供するように構成された、請求項９ないし１７のいずれか一項に記載のネットワークノード。
【請求項１９】
モバイル基地局（１８）とのワイヤレス通信のために適合されたユーザ装置（２６）によって実行される方法であって、
前記ユーザ装置（２６）の現在の位置（Ｐ４）を取得するステップ（５０２）と、
前記現在の位置（Ｐ４）を含む領域（Ａ）内のワイヤレスデータ転送速度を示す品質指標のセットを受信するステップ（５０４）であって、前記品質指標のセットが平均オピニオン評点であり、前記品質指標のセットが、
前記品質指標のセットがアプリケーションに依存するように、前記ユーザ装置内に常駐し、かつ、サービスを実行するアプリケーションと、および、
前記品質指標のセットがサービスに依存するように、前記ユーザ装置に提供されるサービスと、関連付けられる、ステップと、
前記ユーザ装置（２６）のグラフィカルインターフェース（２１８）において、
前記領域（Ａ）内に含まれた新しい位置（Ｐ５）、または
前記領域（Ａ）内に含まれた前記新しい位置（Ｐ５）に対する方向（Ｄ５）であって、前記新しい位置（Ｐ５）が、前記現在の位置（Ｐ４）と比較して、ワイヤレスデータ転送速度を示す、相対的により高い品質指標に関連付けられる、前記方向（Ｄ５）を提示するステップ（５０６）と、を含む、方法。
【請求項２０】
ワイヤレス通信ネットワーク（１４）内に設置されるように適合されたネットワークノード（１２）によって実行されるべき方法であって、
前記ワイヤレス通信ネットワーク（１４）のモバイル基地局（１８）と通信している任意の数のワイヤレスユーザ装置（２０、２２、２４）に関して、前記ワイヤレスユーザ装置（２０、２２、２４）のそれぞれの現在の位置（Ｐ１、Ｐ２、Ｐ３）におけるワイヤレスデータ転送速度と、共通領域（Ａ）内のワイヤレスデータ転送速度とを示す品質指標のセットを取得するステップ（７０２）と、
前記共通領域（Ａ）内のあるユーザ装置（２６）にある種の品質指標のセットを提供するステップ（７０４）であって、前記ある種の品質指標のセットが、
前記取得された品質指標のセットから導出され、かつ
前記あるユーザ装置（２６）の前記現在の位置（Ｐ４）におけるワイヤレスデータ転送速度を示す、ステップ（７０４）とを含み、
前記取得された品質指標のセットが平均オピニオン評点であり、前記取得された品質指標のセットが、
前記ある種の品質指標のセットがアプリケーションに依存するように、サービスを実行し、かつ、前記品質指標のセットが取得された前記ワイヤレスユーザ装置（２０、２２、２４）内に常駐するアプリケーションと、および、
前記ある種の品質指標のセットがサービスに依存するように、前記品質指標のセットが取得された前記ワイヤレスユーザ装置（２０、２２、２４）に提供されたサービスと、関連付けられる、方法。
【請求項２１】
ユーザ装置（２６）によって実行されるとき、請求項１９に記載の前記方法を実行する処理命令を記憶しているコンピュータ可読媒体。
【請求項２２】
ネットワークノード（１２）によって実行されるとき、請求項２０に記載の前記方法を実行する処理命令を記憶しているコンピュータ可読媒体。
【発明の詳細な説明】
【技術分野】
【０００１】
本発明は、現在の位置を含む領域内のワイヤレスデータ転送速度を示す品質指標のセットを受信することが可能なワイヤレス通信用のユーザ装置に関する。本発明は、関連するネットワークノードにも関する。
【背景技術】
【０００２】
ＷｉＦｉおよび３Ｇのスループットデータ（データ転送速度）は、現在、アイフォン用のアプリケーション「Ｂｒｅｄｂａｎｄｓｋｏｌｌｅｎ」など、ある種のソフトウェアを用いることによって、モバイルユーザ装置に関して決定可能である。このアプリケーションは、サーバからデータをダウンロードおよびアップロードするために利用可能な無線インターフェースを使用し、結果は「私の結果」または「私と親しい他のユーザの結果」ごとに分類可能である。スループットは、ビットの形で、パフォーマンス基準として使用される。
【０００３】
検出可能な利用可能帯域幅（データ転送の速度）を有する通信システムを経由して通信するように適合されたユーザ端末（ユーザ装置）を開示するＵＳ２００５０１０７１３５Ａ１など、ワイヤレスデータ転送速度を決定および提示するためのさらなる先行技術が存在する。ユーザ端末は、複数の異なる通信信号をそれぞれ送受信するための送信機と受信機とを含む。また、端末は、現在の通信システムの利用可能な帯域幅を視覚的に表すことができるディスプレイを含む。加えて、ディスプレイは、現在の通信システムにおいて信号を送受信することが必要とされる帯域幅を視覚的に表すように適合されている。ディスプレイの動作を制御するために、端末は、現在の通信システムの利用可能な帯域幅を決定し、その利用可能な帯域幅の決定に基づいて、ディスプレイの出現を変更するコントローラを含む。
【０００４】
例示される技法およびその他の既存の技法はモバイルユーザ装置のデータ転送速度に関する情報を提供することができるものの、そのような技法をより適用可能にするため、かつユーザにとって使い易いものにするための改善が必要とされることが理解されよう。
【発明の概要】
【０００５】
先行技術について上で特定された制限のうちの１つまたは複数を少なくとも一部克服することが本発明の目的である。詳細には、代替の、ユーザにとって使い易い、データ転送速度を表す様式を示すユーザ装置を提供することが目的である。
【０００６】
したがって、モバイル基地局とのワイヤレス通信のために適合され、ユーザ装置の現在の位置を取得し、現在の位置を含む領域内のワイヤレスデータ転送速度を示す品質指標のセットを受信し、ユーザ装置のグラフィカルインターフェースにおいて、ｉ）その領域内に含まれた新しい位置、またはｉｉ）その領域内に含まれた新しい位置に対する方向を提示するように構成されたユーザ装置が提供される。この新しい位置は、現在の位置と比較して、ワイヤレスデータ転送速度を示す、相対的により高い品質指標と関連付けられる。
【０００７】
ユーザ装置は、典型的には、モバイル電話、ラップトップ、タブレットコンピュータ、ネットブック、ｅブックリーダ、メディアセンタ、メディアプレヤ、例えば、ラップトップ、またはモバイル基地局とワイヤレスで通信できる任意のその他の電子デバイスと組み合わせた３Ｇドングルである。モバイル基地局は、次に、８０２．ｘｘタイプのアクセスポイント、または、従来の３Ｇ基地局またはＬＴＥ（ロングタームエボリューション）ネットワークのｅノードＢなど、モバイルアクセスポイントもしくはセルラアクセスポイントであってよい。したがって、ユーザ装置および基地局は、Ｗｉ−ＦｉネットワークもしくはＷＬＡＮネットワークを含むＩＥＥＥ８０２．１１ネットワークなどのワイヤレスネットワーク、またはＧＰＲＳを装備したＧＳＭネットワークもしくはＷ−ＣＤＭＡ（広帯域符号分割多元接続）ベースのネットワークなどの長距離通信ネットワーク、あるいは３ＧＰＰ（第３世代パートナーシッププロジェクト）リリース８仕様に従って実施されるＬＴＥセルラネットワークを形成することができる。
【０００８】
例えば、現在の位置を取得することは、例えばユーザ装置内に含まれたＧＰＳ（全地球測位システム）モジュールによって、現在の位置を取り出すことを含むことが可能であり、または、例えば現在の位置を決定するための三角測量に基づく技法を使用することによって、基地局から現在の位置を受信することを含むことが可能である。
【０００９】
例えば、ワイヤレスデータ転送速度を示す品質指標のセットは、例えば帯域幅、チャネル容量、スループット、グッドプット（ｇｏｏｄｐｕｔ）、ビットレート、マルチメディアデータ圧縮後の平均ビットレートなどとして表される、利用可能なデータ通信リソースまたは消費されたデータ通信リソースの指標であってもよい。品質指標のセットはまた、受信されたメディアの認識される品質の数値表示を提供する平均オピニオン評点（ＭＯＳ）など、ユーザが認識する、ユーザ装置を経由して送達されるサービスの品質を予測する指標であってもよい。
【００１０】
新しい位置は、ユーザ装置それ自体か、またはユーザ装置に新しい位置を通信するネットワークノードかのいずれかによって決定可能である。いずれの場合も、この決定は、典型的には現在の位置の（ワイヤレスデータ転送速度を示す）品質指標を、現在の位置に隣接するか、またはその位置に近い位置における対応する品質指標と比較することを含む。この新しい位置は、次いで、現在の位置よりもより良好な品質指標を有する、隣接するか、またはその位置に近い位置に設定され、次いで、その新しい位置に対する方向および／またはその新しい位置自体がユーザ装置内に提示される。
【００１１】
ユーザ装置は、データ転送速度を表す代替の様式を提供する。ユーザ装置の特定の効果は、いくつかの類似のユーザ装置と組み合わせて用いられるとき、重い負荷を受けている基地局によってカバーされる領域から離れるようにユーザを方向付けることができ、これにより、そのユーザ装置がその一部であるネットワーク上の負荷のより効率的な分散を達成する問題が解決される。
【００１２】
品質指標のセットが時間に依存するように、品質指標のセットは、ある時間と関連付け可能である。これは、基本的に、品質指標は時間に応じて表現可能であること、すなわち、その日、その週、またはその年の異なる時間において異なる品質指標を提示することができることを意味する。
【００１３】
品質指標のセットが基地局に依存するように、品質指標のセットは、ユーザ装置が現在通信しているモバイル基地局と関連付け可能である。この点から、品質指標は、そのユーザ装置が現在通信している基地局に応じて表現可能である（すなわち、当該基地局に基づくことが可能である）ことが分かる。
【００１４】
品質指標のセットがネットワークに依存するように、品質指標のセットは、ユーザ装置にサービスを送達する通信ネットワーク内のパフォーマンス基準と関連付け可能である。この点から、品質指標は、そのユーザ装置が現在通信しているか、またはその一部であるネットワークに応じて表現可能であることが分かる。品質指標は、この場合、ネットワークパフォーマンスを計測する利用可能なパフォーマンス監視ツールを使用することによって決定可能である。
【００１５】
これは、多くの場合、ノードがサービス固有である（例えば、ストリーミングビデオは、あるノードによって影響を受ける可能性があるのに対して、音声呼出は影響を受けない）ネットワーク内の不良ノードから生じる不良品質を識別する際に役立つ可能性がある。また、（例えば、復号フレーム損失、音声とビデオの同期、消費されたデータ通信リソース、またはＭＯＳの形で）ユーザ装置クライアントデータを長期的に有用な情報全体に及ぶネットワーク統計と組み合わせることにより、これは、そのネットワークが現在どのように動作しているか、およびそのネットワークが将来どのように動作することができるかを予測するのに使用され得ることをもたらすことができる。
【００１６】
その品質指標のセットがアプリケーションに依存するように、品質指標のセットは、そのユーザ装置内に常駐しているアプリケーションと関連付け可能である。この点から、品質指標は、データがそのネットワークを介して転送されることを必要とする、そのユーザ装置内のアプリケーションに応じて表現可能であることが分かる。この文脈で、「アプリケーション」は、ウェブブラウザ、電子メールプログラム、またはＳｋｙｐｅなどのメディアストリーマなど、異なるプログラムであってもよい。
【００１７】
その品質指標のセットがサービスに依存するように、品質指標のセットは、そのユーザ装置に提供されるサービスと関連付け可能である。サービスは、例えば、そのユーザ装置において実行される一般的なウェブブラウザアプリケーションを使用する異なるインターネットサービスのうちの１つであってもよい。サービスの例は、例えば、ソーシャルネットワークサービス、ウェブページ検索サービス、ビデオサービス（すなわち、ＵＥにストリーミングされたビデオデータ）、音響サービス、またはある種のデータの伝送を必要とする別のタイプのサービスを含む。そのようなサービスは、例えば、Ｆａｃｅｂｏｏｋ、Ｇｏｏｇｌｅ、ＹｏｕＴｕｂｅ、任意の多くのその他のベンダーによって提供される。
【００１８】
領域は、下位領域のセットを含むことが可能であり、それぞれの下位領域は、品質指標のセットのそれぞれの品質指標と関連付け可能である。下位領域は、例えば、座標として定義可能であり、さらなる実施形態では、その下位領域の範囲を定義するために座標からの１つまたは複数の距離を含むことが可能である。下位領域がある表面をカバーするとき、それぞれの下位領域は、１ｍ２〜２５０ｍ２のそれぞれのサイズを有することができる。新しい位置は、典型的には下位領域のうちの１つの中に含まれるのに対して、現在の位置は別の下位領域内に含まれる。
【００１９】
ユーザ装置は、そのユーザ装置がワイヤレスデータ転送を示す、相対的により低い品質指標に関連する位置に近づく場合、警告メッセージを提供するように構成可能である。この相対的により低い品質指標は、その指標をデータ転送の容認できる品質に関する下限を形成するしきい値と比較することによって決定可能である。オプションで、または代替として、この警告メッセージは、現在の位置に関する品質指標よりもより低い品質指標を有する領域が近づいた場合に提示可能である。警告手段は、例えば、ユーザ装置からの音響信号であっても、またはグラフィカルインターフェース上のグラフィカル警告もしくはグラフィカル表示であってもよい。
【００２０】
別の態様によれば、ワイヤレス通信ネットワークのためのネットワークノードが提供される。ワイヤレス通信ネットワーク内に設置されるとき、ネットワークノードは、ワイヤレス通信ネットワークのモバイル基地局と通信している任意の数のワイヤレスユーザ装置に関して、ワイヤレスユーザ装置のそれぞれの現在の位置におけるワイヤレスデータ転送速度と、共通領域内のワイヤレスデータ転送速度とを示す品質指標のセットを取得するとともに、共通領域内のあるユーザ装置にある種の品質指標のセットを提供するように構成されている。ある種の品質指標のセットは、ｉ）取得された品質指標のセットから導出され、かつｉｉ）あるユーザ装置の現在の位置におけるワイヤレスデータ転送速度を示す。
【００２１】
ネットワークノードは、例えば、ワイヤレス通信ネットワーク内のコンピュータサーバであってもよく、様々なユーザ装置から、それぞれのユーザ装置が受けるワイヤレスデータ転送を示す品質指標を連続的に受信することによって、品質指標のセットを定期的に取得することができる。これらの指標のセットを受信するとき、これらのセットは、それぞれの現在の位置と関連付けられ、したがって、ネットワークノードは、位置によるデータベースと、そのそれぞれの品質指標とを作成することができる。指標のセットは、下で詳細に説明されるように、任意の数の異なる形で集約および記憶され得る。ユーザ装置からの要求に応じて、またはあるアプリケーションが実行されるとき、ネットワークノードは、あるユーザ装置にある種の品質指標のセットを提供または送信する。このある種のセットは、その選択されたセットの品質指標が同じ位置に関して取得された（場合によっては、集約された）指標に対応するように、そのあるユーザ装置の現在の位置に基づいて取得されたセットから導出される（または、選択される）。現在の位置に関する指標が予め受信されていない場合、そのあるセットは、現在の位置に最も近い位置に対応するセットであると決定することができる。
【００２２】
したがって、ある種の品質指標のセットは、その品質指標のセットが取得された、任意の数のワイヤレスユーザ装置の前の位置と関連付け可能であり、それらの前の位置はそのあるユーザ装置の現在の位置に対応し得る。前の位置と現在の位置との間の対応は、前の位置が現在の位置に最も近い位置（または、位置の集約）を表すことを意味する場合がある。
【００２３】
ネットワークノードは、ネットワークパフォーマンスを計測するように構成可能であり、計測されたネットワークパフォーマンスを品質指標のセット内に含めることが可能である。
【００２４】
また、ユーザ装置に関して上で説明されたように、取得された品質指標のセットは、ある時間と関連付け可能であり、それらの指標が取得されたときにユーザ装置が通信したモバイル基地と関連付け可能である。この場合、ネットワークノードが取得された品質指標のセットを収集するとき、その品質指標は時間に依存し、かつセルに依存するとして記憶される。さらに、ネットワークノードがあるユーザ装置にある種の品質指標のセットを提供するとき、その品質指標のセットは、現在の時間および日付、ならびに／またはそのあるユーザ装置がどのセルの一部であるかに基づいて選択される。
【００２５】
取得された品質指標のセットは、その品質指標のセットが取得されたユーザ装置にサービスを送達する通信ネットワーク内のパフォーマンス基準とさらに関連付け可能である。さらに、それらの品質指標のセットは、その品質指標のセットが取得されたユーザ装置内に常駐しているアプリケーションと関連付け可能であり、それらの品質指標のセットは、その品質指標のセットが取得されたユーザ装置に提供されたサービスと関連付け可能である。この場合、ネットワークノードが取得された品質指標のセットを収集するとき、品質指標は、ネットワーク、アプリケーション、および／またはサービスに依存するとして記憶される。また、ネットワークノードがあるユーザ装置にある種の品質指標のセットを提供するとき、その品質指標のセットは、そのあるユーザ装置がどのネットワーク、アプリケーション、および／またはサービスの一部であるか、どのネットワーク、アプリケーション、および／またはサービスを実行もしくは使用するかに基づいて選択される。
【００２６】
ネットワークノードの場合、領域は、上述の下位領域に対応する下位領域のセットを含むことが可能である。さらに、ネットワークノードは、典型的には先に説明されたユーザ装置に品質指標のセットを提供するように構成されている。
【００２７】
別の態様によれば、モバイル基地局とのワイヤレス通信のために適合されたユーザ装置によって実行されるべき方法が提供される。この方法は、ユーザ装置の現在の位置を取得するステップと、その現在の位置を含む領域内のワイヤレスデータ転送速度を示す品質指標のセットを受信するステップと、ユーザ装置のグラフィカルインターフェースにおいて、ｉ）その領域内に含まれた新しい位置、またはｉｉ）その領域内に含まれた、その新しい位置に対する方向を提示するステップとを含み、その新しい位置が、現在の位置と比較して、ワイヤレスデータ転送速度を示す、相対的により高い品質指標と関連付けられる。
【００２８】
さらに別の態様によれば、ユーザ装置によって実行されるとき、上記の方法を実行する処理命令を記憶するコンピュータ可読媒体が提供される。
【００２９】
さらに別の態様によれば、ワイヤレス通信ネットワーク内に設置されるように適合されたネットワークノードによって実行されるべき方法が提供され、この方法は、ワイヤレス通信ネットワークのモバイル基地局と通信している任意の数のワイヤレスユーザ装置に関して、ワイヤレスユーザ装置のそれぞれ現在の位置におけるワイヤレスデータ転送速度と、共通領域内のワイヤレスデータ転送速度とを示す品質指標のセットを取得するステップと、その共通領域内のあるユーザ装置にある種の品質指標のセットを提供するステップとを含む。このある種の品質指標のセットは、ｉ）取得された品質指標のセットから導出され、かつｉｉ）そのあるユーザ装置の現在の位置におけるワイヤレスデータ転送速度を示す。
【００３０】
さらなる態様によれば、ネットワークノードによって実行されるとき、ネットワークノードに関して上述の方法を実行する処理命令を記憶するコンピュータ可読媒体が提供される。
【００３１】
これらの方法は、ユーザ装置またはネットワークノードに関連する上述の特徴によって実施される機能性のいずれをも含み、対応する利点を共有することが可能である。
【００３２】
本発明のさらにその他の目的、特徴、態様、および利点は、以下の詳細な説明から、添付の請求項から、ならびに図面から明らかになるであろう。
【図面の簡単な説明】
【００３３】
次に、添付の概略図を参照して、本発明の実施形態が例として説明される。
【００３４】
【図１】ユーザ装置と、ワイヤレスデータ転送速度を示す、より高い品質指標により新しい位置を決定するために使用可能なネットワークノードとを含む通信ネットワークを示す図である。
【図２】図１の通信ネットワーク内で使用されるユーザ装置を示す図である。
【図３】図１の通信ネットワーク内で使用されるネットワークノードを示す図である。
【図４】異なる領域内のワイヤレスデータ転送速度を示す品質指標を収集するための方法の流れ図である。
【図５】図２のユーザ装置によって実行される方法の流れ図である。
【図６】ユーザ装置が、ワイヤレスデータ転送速度を示す、より高い品質指標により領域をどのようにグラフィックで示すことができるかを示す図である。
【図７】図３のネットワークノードによって実行される方法の流れ図である。
【発明を実施するための形態】
【００３５】
図１を参照すると、ワイヤレス通信用のシステム１０が例示される。システム１０は、ネットワーク１４を経由して、任意の数のユーザ装置（ＵＥ）とのワイヤレス通信をサポートするモバイル基地局に接続されたネットワークノード１２を備える。
【００３６】
例示的な実施形態では、１つの基地局１８と４つのＵＥ２０、２２、２４、２６とが示される。基地局１８は、当技術分野で知られているように、ネットワーク１４を経由して、ＵＥ２０、２２、２４、２６とネットワークノード１２との間の通信を確立することができる。
【００３７】
ＵＥ２０、２２、２４、２６は領域Ａ内に位置し、この場合、第１のユーザ装置（ＵＥ）２０は位置Ｐ１に位置し、第２のＵＥ２２は位置Ｐ２に位置し、第３のＵＥ２４はＰ３に位置し、第４のＵＥ２６は位置Ｐ４に位置する。領域Ａは下位領域に分割され、この場合、第１の下位領域Ｂは、例えば、基地局１８に対する明確な見通し線により、基地局１８との信号（データ）伝送に関して良好な状態を経験する位置を含む。下位領域Ｂ内に位置するいずれのＵＥも、通常、基地局１８と通信しているとき、良好な信号状態を経験する。
【００３８】
領域Ａは、例えば、領域Ａ内の３つの建物３１、３２、３３により、基地局１８との通信の間、ＵＥが不良な信号状態を経験する位置を含む下位領域Ｃ１〜Ｃ４およびＤも含む。下位領域Ｃ１〜Ｃ４およびＤ内のいずれのＵＥも、基地局１８との通信の間、通常、（様々な下位領域において様々な程度の）不良な信号状態を経験する。
【００３９】
異なる下位領域Ｂ、Ｃ１〜Ｃ４、Ｄは、ＵＥと基地局１８の間の信号伝送に関して異なる状態を提供するため、ワイヤレス通信に関するデータ転送速度は、それらの下位領域に関して異なる。下位領域Ｂ、Ｃ１〜Ｃ４、Ｄにおけるデータ転送速度を反映する品質指標が決定される場合、それぞれの下位領域は、このとき、ワイヤレスデータ転送速度を示す異なる品質指標を有することになり、すなわち、それらの品質指標と関連付けられる。当然、建物の存在以外のパラメータは、異なる下位領域に関して異なる品質指標を引き起こす可能性がある。
【００４０】
ネットワーク１４は、例えば、ＷＡＮ（広域ネットワーク）、ＬＡＮ（ローカルエリアネットワーク）、公衆電話交換網、インターネット、および１つまたは複数のイントラネットとして実施されるか、あるいはそれらを含む。ネットワーク１４は、ＩＥＥＥ８０２ワイヤレス通信プロトコル、Ｗｉ−Ｆｉ保護アクセス、もしくはセルラなどの長距離ワイヤレスネットワーク、および／または衛星ベースのワイヤレスネットワークのうちの１つを使用して構築されたローカルワイヤレスネットワークなど、ワイヤレス短距離ネットワークまたはワイヤレス長距離ネットワークを含むことも可能であり、音声、音響、ビデオ、テキスト、および／またはそれらの任意の組合せ、例えば、ＧＳＭ（移動体通信用グローバルシステム）、ＴＤＭＡ（時分割多元接続）、ＣＤＭＡ（符号分割多元接続）、Ｗ−ＣＤＭＡ、および／または第３世代パートナーシッププロジェクト（３ＧＰＰ）リリース８によって指定されたＬＴＥネットワークなどのネットワークをサポートすることができる。
【００４１】
基地局１８は、短距離であろうと、長距離であろうと、ネットワーク１４との通信をサポートするように構成され、したがって、８０２．ｘｘタイプのアクセスポイントとして、または、従来の３Ｇ基地局、もしくはＬＴＥネットワークのｅノードＢなど、セルラアクセスポイントとして実施可能である。基地局１８は、知られている標準に従って、ネットワーク１４との通信のために実施される。
【００４２】
図２を参照すると、ＵＥ２０、２２、２４、２６の実施形態が、さらに詳細に例示され、参照番号２６によって示される。ＵＥ２６は、次に、ＧＳＭ、ＵＭＴＳ（ユニバーサル移動通信システム）、またはＬＴＥインターフェース２１６ａ、８０２．１１ｎもしくは８０２．１６など、ＩＥＥＥ８０２ワイヤレス通信プロトコルのうちの１つを実施しているインターフェース２１６ｂ、および他のＵＥと直接的に、またはあるタイプの基地局を経由してＵＥとワイヤレス通信するために構成された任意のその他の適切な通信インターフェース２１６ｃなど、通信インターフェースを制御する通信インターフェースコントローラ（ＩＦコントローラ）２１４に接続された中央処理装置（ＣＰＵ）の形でプロセッサ２１２を含む。
【００４３】
例えば、フラッシュメモリ、ハードディスク、またはＥＥＰＲＯＭ（電気的に消去可能プログラマブル読出し専用メモリ）の形のコンピュータ可読媒体（メモリ）２２２は、処理ユニット２１２に接続され、１つまたは複数のソフトウェアアプリケーションを実施しているソフトウェア命令を有するコンピュータプログラム２２４は、メモリユニット２２２に記憶される。この場合、これらのソフトウェアアプリケーションのうちの１つは、データ伝送に関するより良好な状態（すなわち、より高い品質指標）により新しい位置、またはその新しい位置に対する方向を表すための機能性を実施するアプリケーションである。メモリユニット２２２においては、ＵＥ２６によって実行されることになるアプリケーションおよびサービスに関するプログラムコードが記憶されている。アプリケーションの例は、様々なウェブブラウザ、電子メールクライアント、Ｓｋｙｐｅなどのメディアアプリケーション、ダウンロードされたアプレットなどを含む。プロセッサユニット２１２は、どのアプリケーションが現在実行されているかを検出することが可能であると同様に、ある種のアプリケーションによって実行されるサービスを検出することも可能である。サービスの例は、例えば、Ｔｗｉｔｔｅｒ、Ｆａｃｅｂｏｏｋ、ＹｏｕＴｕｂｅ、および、その他の種類のソーシャルネットワーク、ならびに／または、例えば、ウェブブラウザアプリケーションによって実行可能なメディアサービスを含む。
【００４４】
組み合わせて、メモリユニット２２２およびコンピュータプログラム２２４はコンピュータプログラム製品２２９を形成する。他の実施形態では、コンピュータプログラム製品は、コンピュータプログラム２２４が記憶されるディスク、ハードドライブ、ＣＤ、またはＤＶＤであってもよい。やはりＵＥ１１０内にはまた、情報をＵＥ２６において閲覧するのを可能にするディスプレイまたはタッチスクリーンを備えたグラフィカルインターフェース（Ｉ／Ｏデバイス）２１８が組み込まれる。ＵＥ２６の位置を決定することができるＧＰＳモジュール２４０は、ＧＰＳ衛星１１から信号を受信することによって、プロセッサ２１２に接続される。また、メモリユニット２２２は、ＵＥ２６の現在の位置におけるワイヤレスデータ転送速度を示す品質指標を決定するステップを含む、下で説明される関連方法を実行することが可能な品質インジケータモジュール（ＱＩＭ）２４２を備える。決定された品質指標は、ＵＥ２６からネットワークノード１２に通信可能である。また、品質インジケータモジュール２４２は、品質指標をネットワークノード１２から受信することが可能である。概して、品質インジケータモジュール２４２は、メモリユニット２２２に記憶され、プロセッサ２１２によって実行されるソフトウェア命令として実施される。ＧＰＳモジュール２４０の代わりに、ＵＥ２６の他の実施形態は、ＧＬＯＮＡＳＳのような衛星ベースの測位システム用のその他の回路／受信機を備えることが可能である。将来、システムが起動して実行すると、ＧＰＳモジュール２４０の代わりに、またはＧＰＳモジュール２４０に加えて、Ｇａｌｉｌｅｏシステム、またはＢｅｉｄｏｕ−２として知られているＣｏｍｐａｓｓシステムに準拠する回路／受信機が使用され得ることも予見可能である。
【００４５】
図３を参照すると、ネットワークノード１２の一実施形態が、より詳細に例示され、ＵＥ２６のメモリユニットに類似したメモリユニット３０６が接続される中央処理装置（ＣＰＵ）の形でプロセッサ３０２を備える。コンピュータプログラム３０８は、メモリユニット３０６上に記憶され、基地局１８と通信するＵＥ２０、２２、２４、２６から品質指標セットを取得するための機能性を実施するソフトウェア命令を含む。ネットワークノード１２は、ネットワーク１４と基地局１８とを経由して、ＵＥ２０、２２、２４、２６と通信することができるコンピュータの形で実施可能である。この点から、ネットワークノード１２とＵＥ２０、２２、２４、２６は両方ともネットワーク１４によって用いられる１つまたは複数の標準およびプロトコルを満たすよう構成されることが分かる。
【００４６】
より詳細には、メモリユニット３０６は、品質指標のセットをＵＥ２０、２２、２４、２６から取得するための機能性を含む品質管理モジュール（ＱＭＭ）３１２を備える。品質管理モジュール３１２自体は、メモリ３０６に記憶されて、プロセッサ３０２によって実行されるソフトウェアコードとして実施可能である。品質管理モジュール３１２は、品質指標のセットをＵＥ２０、２２、２４、２６から受信して、例えば、ＵＥ２６内の品質インジケータモジュール２４２からの要求時に、ある種の品質指標をＵＥに通信し、下で説明される関連機能性を実施する。
【００４７】
動作中、一般論として、ＵＥ２６は、そのインターフェースを経由して、様々な形でサービスの経験を拡張することが可能であり、最終的に、ネットワーク１４およびＵＥ２６自体の上により少ない負荷を要求することが可能な周辺領域に関するサービス品質（すなわち、品質指標）の情報を提供することができる。ＵＥ２６自体によって収集された情報、オペレータもしくはサービスプロバイダによって提供されたネットワークデータ、および統計、ならびに／またはマップは、ＵＥ２６によって使用および評価されることが可能である。品質指標のセットは、その品質が、その領域Ａ内のすべてのＵＥ２０、２２、２４、２６、またはそれらのサブセットによって行われた測定から（例えば、領域Ａおよび下位領域によって例示される）領域内でネットワークノード１２によって前にどのようにログされているかの情報を含むことが可能である。情報は、ネットワーク／ＵＥの測定値を特定のサービスの品質の指標を提示できるパラメータ品質モデル／ビットストリーム品質モデルと組み合わせることによって、異なる技術を使用して表示可能である。ＵＥ測定値とネットワークノード測定値の両方を使用することは、当該領域Ａ内のサービス品質の現実的な記述を実現することができる。ユーザは、この情報を使用して、良好な位置／不良な位置のマップを提示することによって間接的に、またはユーザが品質を得るために進むべき方向を選ぶことによって直接的に、ＵＥによって示唆されるより良好な位置に移動することによってサービス品質を拡張することができる。ＵＥはまた、ユーザが既知の不良な領域に向かっている場合には、警告するように構成されている。
【００４８】
ＵＥ内のアプリケーションは、ネットワーク品質がある領域内でどのような状態であるかの情報をネットワークノード１２から受信することができる。そのＵＥの位置と、サービス品質を報告する、その他の前のＵＥ／現在のＵＥの位置とを基地局１８もしくはセル情報（基地局／セルに対する距離）からネットワークノード１２によって集めること、またはＵＥ（ＧＰＳ座標、セルに対する距離）から報告することが可能である。基地局座標およびその他のネットワーク情報は、ネットワークノード１２内にも記憶される。この情報は、次いで視覚化され得るサービス品質を計算するために使用可能である。例えば、この情報は、良好な品質指標に関して緑を、不良な品質指標に関して赤を示す領域マーカ（緑、赤など）を用いて、かつ異なる平均オピニオン評点（ＭＯＳ）または待ち時間のレベルに関して異なる色のより高い解像度を用いて、マップとして表示可能である。
【００４９】
あるいは、この情報は、異なる色で色づけされた領域を用いた、撮影された周囲のオーバーレイ、数を用いたスポットなどによって、「拡張現実」として表示可能である。このために、ＵＥ２６は、ＧＰＳ２４０または方向インジケータを備えた同等の測位デバイスと組み合わせたビデオ使用可能カメラ２２４を備える。色に関する境界を計算するために、事前に方向付けられたスループット（ｐｒｅ−ｄｉｒｅｃｔｅｄ  ｔｈｒｏｕｇｈｐｕｔ）、品質ＭＯＳなどを使用することが可能である。また、このデバイスは、現在の位置よりもより良好な品質指標を取得するためにどの方向に進むべきかの示唆として矢印または別のタイプのポインタを表示することができる。
【００５０】
ＵＥ２６は、音声呼の間など、不良な品質指標に関する不良領域についての情報を提供し、ＵＥ２６が知られている音声品質問題を伴う領域に近づいたときに、警告ビープ音を提示することも可能である。ユーザは、ＵＥ２６が呼欠落の増大したリスクが存在する領域に近づいているとき、異なる警告ビープ音を得ることも可能である。また、ユーザが不良ビデオ品質領域に近づいている場合、ユーザがＵＥ２６においてビデオを見ているとき、すなわち、インターフェースにおいてビデオ以外に何も表示することができない／表示することが望まれないとき、ビープ音などの音響信号を聴取することができる。ＵＥ２６は、上記の場合、ビープ音を提供する代替として、（方向、北／南、または左／右／前方と合成された／サンプリングされた）より進んだ音響信号を提供することができる。これは、マップ位置サービスから取り出された（例えば、「向かって右の店で良好な品質」の形で）記録された位置を含む。
【００５１】
示すことが可能な品質基準は、ＭＯＳ−ＬＱＯ、ビットレート、待ち時間などの形のサービス品質、または先に記述された基準に基づくユーザの利便性に関する単なる「良好」領域もしくは「不良」領域である。ＭＯＳ−ＬＱＯは、平均オピニオン評点のタイプである。ＩＴＵ−Ｔ（電気通信標準化部門）勧告Ｐ．８６２．１を参照されたい。予測されるＭＯＳは、例えば、両方とも非進入型であるが、むしろ、正確なエンドユーザの品質予測であるパラメータモデルまたはビットストリームモデルを使用することによって計算可能である。領域基準／領域品質は、例えば、全体平均もしくは「一日のこの時間に関する通常値」、またはそれらと「現在の状態」との組合せすら表示して、その領域内の履歴測定値によって生み出され得る。ネットワークデータを使用することは、ほぼ瞬間的な可能性があり、数分古いデータを得ることだけで、十分良好な結果を提示し、その結果、その領域マップは正確である。
【００５２】
ネットワークノードとＵＥとから集められた情報は、時間（ネットワークロギング）と空間（ＵＥ内のＧＰＳ測位またはネットワークデータからのセルの座標など）の両方の点で高い解像度のデータを提示することがきる。このデータを使用して、品質が、将来、現在の領域または近接する領域内でどのようになるかを予測することも可能である。
【００５３】
新しい位置に移動するための示唆は、ある期間にわたって、品質が容認できるしきい値を下回るまで落ち込んだとき、またはユーザが新しい位置を要求したとき、サービスの間に提示され得る。この品質しきい値は、ネットワークカウンタと整合可能であるか、またはユーザによって設定可能であり、示唆のトリガは、ユーザが、１０〜６００秒など、一定時間にわたって不良領域内にいるときだけ出現すべきである。移動するための示唆は、例えば、知られている通信問題を伴う領域内に移動しないことによって、呼が欠落するのを回避できるように、その特定のサービスに関する真の不良品質と、近くやって来る日および領域との間の強い相互関係が存在する場合に提示することも可能である。移動予測は、ユーザがどこに向かっているかを理解するために使用可能である。どこに移動すべきかの示唆は、ユーザがどの程度遠くまで進行することができるかに関する制限を有するように、より良好な通信状態を取得することを実現するためである。
【００５４】
一実施形態では、ネットワークノード１２にこれらの示唆を決定させて、（例えば、より古いセル電話の形のＵＥに関する）すべての品質評点を計算させるために、ネットワークノード１２、および任意の数のその他の類似のネットワークノードが可能な限り使用される。別のオプションは、ＵＥ２６に、そのＵＥ２６が知っているデータ（失われたパケットの数など）を使用することによって、可能な限り計算させて、これをネットワーク基準、および他のＵＥがネットワークノード１２に提供したデータと組み合わせさせることを含む。
【００５５】
さらに詳細には、図４を参照すると、ＵＥ２６およびネットワークノード１２に関して上で説明され、例示された品質指標に関する機能性が示され、この機能性は、典型的にはＵＥ２６の品質インジケータモジュール２４２とネットワークノード１２の品質管理モジュール３１２の組合せによって実行される。
【００５６】
第１のステップ４０２において、ＵＥ２６は現在の位置Ｐ４を取得する。全地球測位モジュール２４０は、現在の座標ｃｏｏｒｄを提供することによって、これを助ける。全地球測位モジュール２４０または類似の代替案を使用するオプションとして、現在の位置ｃｏｏｒｄは、Ｅｒｉｃｓｓｏｎ  ＭＰＳ（モバイル位置測定システム）など、三角測量ベースの技法を使用して取得可能である。
【００５７】
次のステップ４０４において、ＵＥ２６は、どのアプリケーションａｐｐが現在ＵＥ２６において実行されており、ＵＥ２６と基地局１８との間でデータ伝送を必要としているかに関する情報を取得する。これは、ＵＥ２６内で実施される従来のタスク管理機能性によって行われることが可能である。典型的には、ａｐｐは、様々なウェブブラウザ、メディアストリーム、電子メールクライアントなど、特定のアプリケーションを独自に識別できる文字列または整数として表される。
【００５８】
次のステップ４０６において、ＵＥ２６は、どのサービスｓｅｒｖが現在ＵＥ２６によって使用されており、ＵＥ２６と基地局１８との間でデータ伝送を必要としているかに関する情報を取得する。典型的には、やはりｓｅｒｖも、Ｇｏｏｇｌｅ、ＹｏｕＴｕｂｅ、一般的なビデオストリーミング、音響など、特定のサービスを独自に識別するストリングまたは整数として表現される。サービスを識別できるように、サービスに関する情報を取得することは、例えば、異なるメディア（データのタイプ）は、多くの場合、異なるポートにおいて到着するため、関連するメディアストリームがどのポートにおいて到着するかを決定することによって行われることが可能である。また、ほとんどの知られているサービスは特定のアドレスに関係するため、サービスは、ソースＩＰアドレス、ＵＲＬ（ユニフォームリソースロケータ）などを調査することによっても識別可能である。例えば、ソースＩＰおよびＵＲＬを識別することは、適切な、知られている技法を使用することによって行われることが可能である。
【００５９】
次のステップ４０８において、ＵＥ２６は、ＵＥ２６に関する現在のワイヤレスデータ転送速度を示す適切な値を計測することによって品質指標ＱＭを決定する。ＱＭは、例えば、例えば、帯域幅、チャネル容量、スループット、グッドプット、ビットレート、またはマルチメディアデータ圧縮後の平均ビットレートなどとして表現される利用可能なデータ通信リソースまたは消費されたデータ通信リソースの指標である。ＱＭは、平均オピニオン評点（ＭＯＳ）など、ＵＥを経由して送達されたサービスのユーザが認識する品質を予測する指標であってもよい。パケット損失、リバッファリング、符号化されたビットレートなどを決定するための機能性など、このプロセスに適した方法が使用される。ＱＭは、関連するアプリケーションおよびサービスに関して、常に、図１のＵＥに関するＰ１〜Ｐ４など、現在の位置に関して実行されることが好ましい。
【００６０】
ＱＭを決定するための方法の例は、例えば、３ＧＰＰ勧告２６．３４６に記述される、マルチキャストビデオの場合に報告するためのＭＢＭＳ（マルチメディアブロードキャストおよびマルチキャストサービス）を使用することを含む。それらの基準をＳＤＰ（セッション記述プロトコル）内にどのように書き込むことが可能であるか、報告をどの程度頻繁に送ることが可能であるかに関する情報は、同じ勧告内に見出すことができる。また、メディアビットストリームは、解析／復号されて、ＱＭを決定するために適した品質指標モデルに対する入力として使用可能である。
【００６１】
オプションで、後続の要件に応じて、ＱＭは、例えば、０〜１００％に及ぶ、ＱＭｎｏｒｍに関する相対的な値が取得されるように、決定されたＱＭを最大品質指標ＱＭｍａｘで割ることによって正規化可能であり、この場合、０％は信号伝送が存在しないことを表すのに対して、１００％は最善の可能な信号伝送を表す。ＱＭｍａｘの適切な値は、ネットワークおよびＵＥのタイプに関する実用知識ならびに／または論理知識に基づいて決定可能であり、本明細書で説明される様々なタイプの装置に関して一般に利用可能である。
【００６２】
次のステップ４１０において、ネットワークユニット１２は、基地局１８とネットワーク１４とを経由して、それらの変数をネットワークユニット１２に送信するためにその通信インターフェースを使用するＵＥ２６から変数ｃｏｏｒｄ、ａｐｐ、ｓｅｒｖ、およびＱＭ、ならびに、代替で、ＱＭｎｏｒｍを受信する。
【００６３】
次のステップ４１２において、ネットワークユニット１２は、変数ｃｏｏｒｄ、ａｐｐ、ｓｅｒｖ、ＱＭが受信され、場合によっては、ＱＭｎｏｒｍも受信されたときの推定時間である現在の時間ｔｉｍｅを決定する。オプションで、または代替として、ＵＥ２６は、その時間をＱＭが決定された時間に設定することによって時間を決定して、とりわけ、ＱＭの伝送とともに、ｔｉｍｅをネットワークノード１２に送信する。時間を決定するために、ＵＥ２６およびネットワークノード１２のそれぞれのプロセッサユニット２１２、３０２は、現在の時間を決定し、取り出すことができる。
【００６４】
次のステップ４１４において、ネットワークユニット１２は、どのセルｃｅｌｌ、すなわち、どの基地局１８がＵＥ２６との通信に関連するかを決定する。これは、例えば、ＪＰ−７以降のＳｏｎｙＥｒｉｃｓｓｏｎ（登録商標）、またはＮｏｋｉａ（登録商標）プラットフォームおよびＵＩＱにおいて、例えば、Ｊａｖａ  ＭＥアプリケーションを使用することによって、現在のセルＩＤ情報およびアクセスセルＩＤ情報（位置）を取り出すことによって行われることが可能である。
【００６５】
オプションで、または代替で、３ＧＰＰ勧告３６８０５−９００に従って、ＣＰＩＣＨ  ＲＳＣＰ、ＣＰＩＣＨ  Ｅｃ／Ｎｏ、またはＴＤＤ  Ｐ−ＣＣＰＣＨ  ＲＳＣＰおよびＩＳＣＰ、ＲＳＲＰ、ならびにＲＳＲＱ（接続モードのみ）など、無線環境測定値ＱＭｃｅｌｌは、無線品質の指標として、ネットワークノード１２によって周期的にログされ得る。基地局１８は、ＵＥ２６との通信のために使用される総データ帯域幅に関して、基地局１８がどの程度の電力ヘッドルームを有するか、および基地局１８がどの程度より多くのユーザに有効範囲を提供できるかについての情報を取り出して、それをネットワークノード１２に提供して、これを無線環境測定値として使用することが可能である。これらの無線環境測定値ＱＭｃｅｌｌは、場合によっては、現在のセルに関して取得可能な最大品質指標ＱＭｃｅｌｌ，ｍａｘを使用することによって、ＱＭｎｏｒｍを提示した正規化に対応する形で正規化可能であり、これは、結果として、０〜１００％の間の正規化された値ＱＭｃｅｌｌ，ｎｏｒｍをもたらす。ＱＭｃｅｌｌ，ｍａｘの適切な値は、セル（基地局）に関する実用知識および／または理論知識に基づいて決定可能であり、本明細書で説明された様々なタイプの基地局に関して一般に利用可能である。
【００６６】
次のステップ４１６において、ネットワークユニット１２は、サービス／データの伝送をＵＥ２６に提供するためにどのネットワークｎｅｔｗが使用されるかを決定する。これは、典型的には、サービスと、ＵＥ２６にサービスを伝達するために必要とされるすべての通信ノードとを提供するサーバを含む関連するノードを追跡することによって行われる。異なる位置でＵＥに提供される異なるサービスに関して、様々なノードが一般に関連し、関連するノードのパターンを記憶することによって、ネットワークｎｅｔｗを識別することが可能である。また、このステップにおいて、例えば、Ｅｒｉｃｓｓｏｎによって開発され、現在、インターネットからダウンロード可能なＰｅｒｆＭｏｎツールを使用することによって、ネットワークに依存する品質指標ＱＭｎｅｔｗを決定することが可能である。ＰｅｒｆＭｏｎは、ネットワークの異なる部分からの様々な入力を利用することが可能であり、共通ＩＰ番号、ＵＥからのＩＭＥＩ／ＩＭＳＩ（国際移動体装置識別番号／国際移動体加入者識別番号）番号を使用することによってこれらの入力を合成する。ネットワークに依存する品質指標ＱＭｎｅｔｗは、場合によっては、現在のネットワークに関して取得可能な最大品質指標ＱＭｎｅｔｗ，ｍａｘを使用することによって、ＱＭｎｏｒｍを提示した正規化に対応する形で正規化可能であり、これは、結果として、０〜１００％の間の正規化された値ＱＭｎｅｔｗ，ｎｏｒｍをもたらす。ＱＭｎｅｔｗ，ｍａｘの適切な値は、ネットワークに関する実用知識および／または理論知識に基づいて決定可能であり、本明細書で説明される様々なタイプのネットワークに関して一般に利用可能である。
【００６７】
最終的なステップ４１８において、ネットワークユニット１２は、少なくともｃｏｏｒｄと一緒に品質指標ＱＭ（および／またはＱＭｎｏｒｍ）を記憶して、オプションで、ａｐｐ、ｓｅｒｖ、ｔｉｍｅ、ｃｅｌｌ、およびｎｅｔｗに関する数式とともに記憶する。これは、ＱＭが、
ＱＭ＝ｆ１（ｃｏｏｒｄ）  （１）  または
ＱＭ＝ｆ２（ｃｏｏｒｄ、ａｐｐ、ｓｅｒｖ、ｔｉｍｅ、ｃｅｌｌ、ｎｅｔｗ）  （２）
として表現可能であることを意味する。
【００６８】
数式（２）におけるように、無線環境とネットワークとを考慮に入れるために、以下の数式、すなわち、
ＱＭａｇｇ＝ＱＭｎｏｒｍ＊ＱＭｃｅｌｌ，ｎｏｒｍ＊ＱＭｎｅｔｗ，ｎｏｒｍ  （３）
を使用して、集約された品質指標ＱＭａｇｇを決定することが可能である。
【００６９】
図４に関して説明されたステップは、任意の数の基地局を経由して通信している多数のＵＥによって連続的に実行され、これは、結果として、多数の位置に関して品質指標のデータベース（図３の項目３１４）をもたらす。したがって、品質指標のデータベース３１４は、数式（１）におけるように、少なくともその位置に依存する品質指標のセットを含み、オプションで、数式（２）におけるように、別のパラメータに依存する。広範囲に及ぶデータの量を避けるために、品質指標は、小さな座標だけの代わりに、大きな領域に関して決定可能である。これは、図１の下位領域Ｂ、Ｃ１〜Ｃ４などの下位領域が生成されるように、同じ品質指標または類似の品質指標を有する近似座標を収集することによって行われることが可能である。このプロセスを自動化するために、知られているデータ処理技法を使用することが可能であり、下位領域同士の間に適切な境界を取得するために、適切なしきい値を適用することが可能である。
【００７０】
図５を参照して、ＵＥ２６などのＵＥによって実行される方法が例示され、現在の位置Ｐ４と比較して、相対的により高い品質指標と関連付けられる新しい位置Ｐ５をどのように見出すことができるかを示す。
【００７１】
第１のステップ５０２において、現在の位置Ｐ４が取得され、次のステップ５０４において、ＵＥ２６は品質指標のセットをネットワークノード１２から受信する。品質指標のセットは、現在の位置Ｐ４を含む領域Ａ内のワイヤレスデータ転送速度を示す。詳細には、この取得されたセットは、ＵＥ２６を取り巻く領域に関する品質指標が含まれるように選択可能である。例えば、図１を参照すると、ＵＥ２６は、下位領域Ｃ４と、その下位領域Ｃ４に関して有効な品質指標とを記述するデータを受信することができ、下位領域Ｂと、下位領域Ｂに関して有効な品質指標とを記述するデータを受信することが可能である。
【００７２】
次のステップ５０６において、ＵＥ２６は、ある下位領域Ｂが、ＵＥ２６が現在位置する下位領域Ｃ４よりもより良好な品質指標を有するかどうかを決定し、すなわち、新しい位置Ｐ５における他の場所で増大したデータ転送速度を取得することが可能である。この場合、ＵＥ２６は、例えば、マップを使用することによって、新しい位置Ｐ５を提示するか、または、ユーザが適切な進行経路を選択することができるように、新しい位置Ｐ５に向かう方向Ｄを提示する。新しい位置Ｐ５の選択には、ＵＥ２６内で実施され、より良好な通信状態を有する新しい位置Ｐ５に達するために必要とされる進行距離を最小化する最適化アルゴリズムを用いることができる。新しい位置または新しい方向は、グラフィカルユーザインターフェースに関する従来の技法を実施および使用することによって、ＵＥ２６において提示可能である。
【００７３】
オプションで、ＵＥ２６は、新しい位置を決定しないものの、ユーザがそのユーザのワイヤレスデータ伝送要件に適合する領域にナビゲートすることができるように、現在の位置に隣接／近接する異なる品質指標を有する領域に関する情報とともに、現在の位置の表示を用いたマップを単に提示する。しかし、定義により品質指標を示す近似領域のそれぞれは潜在的な新しい位置を示すため、前述の新しい位置はこれらの領域のうちの１つの中に依然として含まれる。
【００７４】
ステップ５０２〜５０６は、ユーザがデータ伝送に関して（潜在的に）より良好な状態により新しい位置を見出すか、または閲覧するための機能性を用いる限り、連続的に実行される。
【００７５】
図６を参照すると、新しい位置または新しい方向がＵＥ２６においてどのように表示され得るかを示す例が示される。この例では、ＵＥ２６は、現在の周囲の画像をダウンロード（受信）するように構成されている。次いで、下位領域とマップの地理的座標が対応するように、異なる品質指標を有する下位領域が画像上でマップされる。あるいは、ＵＥ２６によって受信される前に、下位領域はネットワークノード１２によって画像内に既にマップされている。下位領域は、下位領域Ｅ１を下位領域Ｅ２から分離する線６１などの線によって分離される。下位領域は、数字「２０」を用いて符号化された下位領域Ｅ１、数字「３０」を用いて符号化された下位領域Ｅ２など、ワイヤレスデータ転送速度の品質を示す指標を用いて符号化され得る。符号化に関する数字は、ＱＭａｇｇなど、正規化された品質指標を表すことが可能であり、この場合、「２０」は、最大可能伝送の２０％に対応する伝送品質を表す。
【００７６】
現在の周囲の画像は、ＵＥ２６の現在の位置からのビューを伴って取り出され、その画像上にマッピングされたそれぞれの下位領域は、現在の位置を含む（図１の領域Ａに対応する）一般的な領域内に含まれると考えることができる。したがって、この例では、下位領域Ｅ３など、異なる、詳細にはより高い品質指標を有する下位領域を示すことによって、位置に対する方向がユーザに提示され、そのユーザは関連する下位領域に単にナビゲートできる。ＵＥ２６上にその画像をダウンロードして提示し、その画像上に下位領域をマッピングするために、地理的な座標／境界の画像処理および画像マッピングの分野内の任意の適した技法を使用することが可能である。
【００７７】
オプションで、画像をＵＥ２６内のカメラ２４４によって撮ることが可能であり、それらの下位領域をその撮られた画像上にマッピングすることが可能である。その画像が撮られるまさにその瞬間、ＵＥ２６の現在の座標とＵＥ２６の方向とがマッピングのために記憶および使用される。
【００７８】
図７を参照すると、ネットワークノード１２によって実行される方法が例示され、ＵＥから品質指標のセットを取得する第１のステップ７０２を示す。品質指標を含む前述のデータベース３１４が生成されるように、品質指標のセットがいくつかのＵＥに関して収集されることに留意すると、このプロセスは、多くのＵＥの参加を含み、図４の方法に対応する。
【００７９】
次のステップ７０４において、ネットワークノードは、必要とされる品質指標をＵＥ２６に提供する。詳細には、これは、数式（１）を用いることによって行われることが可能であり、この場合、ＵＥ２６は、座標、および、場合によっては、（ネットワークノードが現在の時間を決定しない場合）現在の時間をネットワークノードに送る。位置が知られると、対応する品質指標をデータベース３１４から取り出すことができる。現在の位置がネットワークノード１２によって記憶された任意の位置に対応しない場合、現在の位置に最も近い位置を使用することができる。
【００８０】
オプションで、パラメータａｐｐ、ｓｅｒｖ、ｔｉｍｅ、ｃｅｌｌ、ｎｅｔｗは、データベース３１４から品質指標を取り出すときに、関連するＵＥに関して決定される。数式（２）が使用可能であるため、これはより正確な品質指標を提示し、すなわち、品質指標は、次いで、ａｐｐ、ｓｅｒｖ、ｔｉｍｅ、ｃｅｌｌ、ｎｅｔｗに応じて取り出される。現在の値に対応するパラメータ値がデータベース３１４で利用可能でない場合、多次元線形回帰解析を使用して、最も適切な品質指標を取得することが可能である。
【００８１】
あるいは、品質指標のデータベース３１４を生成するとき、セル環境状態に関する計算は行われず、かつ／または、品質指標ＱＭまたはＱＭｎｏｒｍがｃｏｏｒｄだけに依存し、場合によっては、ａｐｐ、ｓｅｒｖ、およびｔｉｍｅにも依存するように、ネットワークに依存する品質指標は決定されない。しかし、無線環境測定値ＱＭｃｅｌｌを考慮に入れるために、ＱＭｃｅｌｌ，ｎｏｒｍの値を取得するために上で記述されたように、現在のセル環境状態を決定して、当該ＵＥに関してリアルタイムで正規化することができる。同じことは、やはり正規化することが可能な、ネットワークに依存する品質指標にも当てはまり、すなわち、現在のネットワークに依存する品質指標ＱＭｎｅｔｗ，ｎｏｒｍが決定される。
【００８２】
次いで、例えば、以下の数式、すなわち、
ＱＭａｇｇ＝ＱＭｎｏｒｍ＊ＱＭｃｅｌｌ，ｎｏｒｍ＊ＱＭｎｅｔｗ，ｎｏｒｍ  （４）
を使用することによって、ＵＥに提供されることになる集約された品質指標ＱＭａｇｇを無線環境とネットワークとに依存させることができ、式中、ＱＭｎｏｒｍはデータベースから取り出され、ＱＭｃｅｌｌ，ｎｏｒｍおよびＱＭｎｅｔｗ，ｎｏｒｍは、現在のセル状態と現在のネットワーク状態とを反映するように、リアルタイムで取り出される。
【００８３】
品質指標ＱＭａｇｇは、実際には、数式（１）〜（３）に関して説明された品質指標と同じパラメータに依存するが、無線環境およびネットワークへの依存がリアルタイムで決定される点が異なり、これは、いくつかの状況において、より正確な結果を示すことが可能である。したがって、それがどのように決定されるかにかかわらず、品質指標は、ある時間、基地局、ネットワーク、アプリケーション、またはサービスのうちのいずれかと関連付けられることが可能である。しかし、品質指標は、常に、ある位置または領域と関連付けられる。
【００８４】
加えて、品質指標の計算は、ＩＰプロトコル情報に基づくマルチメディア品質の非侵入型評価モデルに関するＩＴＵ−Ｔ勧告である、パラメータモデルに関するＩＴＵ−Ｔ  Ｐ．ＮＡＭＳなど、標準化された品質モデルを使用することが可能である。別の手法は、ビットストリームモデルを使用すること、またはメディアビットストリーム全体を使用して評点を計算するハイブリッドモデルを使用することを含み、この場合、失われたパケットの数などは、モデルに伝送されず、メディアストリームだけが伝送される。このモデルは、次いで、認識される品質を推定するために、部分的な復号またはその他の計算を実行することが可能である。ビットストリームモデルの一例は、ＩＰプロトコル情報とビットストリーム情報とに基づくマルチメディア品質の非侵入型評価モデルに関するＩＴＵ−Ｔ勧告であるＰ．ＮＢＡＭＳである。
【００８５】
これらの方法の繰り返し率は異なってもよく、実際の率は、正確なデータを提供することと、ネットワーク上およびデータの記憶部上の負荷を最小化する要望との間の折衝であり、典型的には、用いられるＵＥ、基地局、およびネットワークのタイプに依存する。
【００８６】
本明細書で説明されたＵＥおよびネットワークノードは、加えて、ワイヤレス通信の分野内で知られている標準およびプロトコルに従って実施される。ソフトウェア命令、すなわち、先に議論された方法を実行するためのコンピュータプログラムコードは、開発の利便性のために、Ｊａｖａ、Ｃ、および／またはＣ＋＋など、ハイレベルプログラミング言語で書き込まれるが、インタープリタ型言語に限定されないが、インタープリタ型言語など、他のプログラミング言語でも書き込まれる。いくつかのモジュールまたはルーチンは、パフォーマンスおよび／またはメモリ使用を拡張するために、アセンブリ言語で、またはマイクロコードですら書き込まれることが可能である。この方法の機能ステップのうちのいずれかまたはすべての機能性を個別のハードウェア構成要素、１つもしくは複数の特定用途向け集積回路、またはプログラムされたデジタル信号プロセッサもしくはマイクロコントローラを使用して実施することも可能である点をさらに理解されよう。
【００８７】
本発明の様々な実施形態が説明され、示されているが、本発明は、これらの実施形態に限定されず、以下の請求項において定義される主題の範囲内のその他の様式で実施されることも可能である。詳細には、本発明は、品質指標を示すパラメータのいずれかを省略することよって実施可能であるが、座標ｃｏｏｒｄ、すなわち、ａｐｐ、ｓｅｒｖ、ｔｉｍｅ、ｃｅｌｌ、ｎｅｔｗのうちのいずれかに関して、任意の組合せで省略することが可能である。また、特に、正規化が用いられる場合、多数の品質を示すアルゴリズムを使用することも可能である。
【図１】
0005631482.tif 000002
【図２】
0005631482.tif 000003
【図３】
0005631482.tif 000004
【図４】
0005631482.tif 000005
【図５】
0005631482.tif 000006
【図７】
0005631482.tif 000007
【図６】
0005631482.tif 000008